(57)【要約】【課題】ハーネスが擦過することによるプラテンガラスの汚れや傷の発生を確実に防止することができる画像読取装置を提供する。【解決手段】ハーネス７は、コントローラ５から手前側に延出し、９０°屈曲してハウジング１の右側へ延在する。ハーネス７の端部はキャリッジ３の下方を過ぎてから上方へ湾曲してループ７ａを形成し、左側へ延在してキャリッジ３に搭載されたＣＣＤ３３に接続されている。ハーネス７のプラテンガラス１０に摺接する部分に、不織布等のプラテンガラス１０の損傷を防止する保護部材８を巻き、この保護部材８をプラテンガラス１０に摺接させる。【選択図】        図４
2004333920.tif 000002
【特許請求の範囲】
【請求項１】
フレームと、
原稿を載置するために前記フレームの上面に設けられたプラテンガラスと、
前記プラテンガラスに沿って副走査方向に走行させられるキャリッジと、
前記フレームの一端部に設けられて、前記キャリッジと電気的に接続されて、制御信号や画像データ信号等の授受を行う電気回路とを備え、
前記キャリッジは、原稿上の画像を結像させるロッドレンズアレイと、このロッドレンズアレイで結像された画像を読み取る光電変換素子とを備え、
前記信号の授受を行うハーネスが前記キャリッジと前記電気回路とに接続された画像読取装置において、
前記ハーネスは、前記電気回路から延出し前記フレームの底部に沿って他端側へ延在し、かつ、上方へ向けループを描くようにして前記キャリッジに接続され、  ループを描いた前記ハーネスの前記プラテンガラスに摺接する部分に、該プラテンガラスの損傷を防止する保護部材を設けたことを特徴とする画像読取装置。
【請求項２】
前記保護部材は不織布であることを特徴とする請求項１に記載の画像読取装置。
【発明の詳細な説明】
【０００１】
【発明の属する技術分野】
本発明は、キャリッジに搭載された光学ユニットを原稿と相対的に移動させ、原稿を走査して画像データを得る画像読取装置に係り、特に、キャリッジに接続されるハーネスがプラテンガラスに接触することを防止する構造に関する。
【０００２】
【従来の技術】
複写機等に設けられる画像読取装置としては、ランプを搭載したキャリッジをプラテンガラスに置かれた原稿に沿って移動させ、ランプの光を照射した原稿の像を、レンズを介してＣＣＤ等の受光素子に導く構成が一般的である。このような画像読取装置のキャリッジには、通常、制御信号や画像データ信号等をハウジングに固定された電気回路との間で授受させるフレキシブルなハーネスが接続されている。このハーネスは、ハウジング底部にキャリッジの移動方向に延在して配され、一端部が電気回路に、他端部が上方に向けループを描くようにしてキャリッジに接続されている。キャリッジの移動に伴ってハーネスはループの曲率半径が変化し、キャリッジの移動を拘束しないように設けられている。
【０００３】
ところで、このようなハーネスにおいては、キャリッジの移動中にループの径が大きくなった場合に、原稿を載置する上方のプラテンガラスの下面に接触して擦れ傷や汚れ等が付くことが懸念される。下記の特許文献１には、ループの曲がり癖が歪みとして残ると、その歪みによる変形がループの径の増大を招き、プラテンガラスに接触しやすくなるとされている。同文献にはこの課題を解決するために、ループの径がほぼ最大となる位置でキャリッジを停止させ、これによって、長期放置されてもループが変形しにくくなり、結果としてプラテンガラスへの接触を防ぐといった手段が記載されている。
【０００４】
【特許文献１】
特許第３３４７３４８号公報（段落「０００７」、「００２１」等）
【０００５】
【発明が解決しようとする課題】
上記特許文献１に記載の手段では、ハーネスにおけるほぼ最大径のループをプラテンガラスの下面に接触させないように設定する必要が生じ、このため、ハウジングの高さが増大して装置のコンパクト化を図りづらいという欠点がある。また、ループがほぼ最大径の状態で停止状態を保持させる制御も必要であるから、制御系の構成の複雑化を招く。
【０００６】
したがって本発明は、簡素な構成で、かつコンパクト化を可能としながら、ハーネスが擦過することによるプラテンガラスの汚れや傷の発生を確実に防止することができる画像読取装置を提供することを目的としている。
【０００７】
【課題を解決するための手段】
本発明の画像読取装置は、フレームと、原稿を載置するためにフレームの上面に設けられたプラテンガラスと、プラテンガラスに沿って副走査方向に走行させられるキャリッジと、フレームの一端部に設けられて、キャリッジと電気的に接続されて、制御信号や画像データ信号等の授受を行う電気回路とを備え、キャリッジは、原稿上の画像を結像させるロッドレンズアレイと、このロッドレンズアレイで結像された画像を読み取る光電変換素子とを備え、信号の授受を行うハーネスがキャリッジと電気回路とに接続された画像読取装置において、ハーネスは、電気回路から延出しフレームの底部に沿って他端側へ延在し、かつ、上方へ向けループを描くようにしてキャリッジに接続され、ループを描いたハーネスのプラテンガラスに摺接する部分に、該プラテンガラスの損傷を防止する保護部材を設けたことを特徴としている。
【０００８】
本発明によれば、ハーネスのループは直接プラテンガラスに摺接せず、保護部材が摺接するので、簡素な構成でプラテンガラスの損傷が防止される。ハーネスのループがプラテンガラスに摺接する状態（実際には保護部材が摺接する）でもかまわないので、ハーネスのループがプラテンガラスに接触しないようにフレームの高さを高くする必要もなく、このため、装置のコンパクト化を図ることができる。保護部材としては、柔軟でプラテンガラスに擦過傷が付かず、しかも軽くてハーネスやキャリッジの動きに負荷がかからないものが好適であり、例えば不織布等が挙げられる。
【０００９】
【発明の実施の形態】
以下、図面を参照して本発明の実施形態を説明する。
１．実施形態の構成
図１は実施形態の画像読取装置を示す平面図、図２は図１のＩＩ−ＩＩ線矢視断面図、図３は図１のＩＩＩ−ＩＩＩ線矢視断面図であり、この画像読取装置は、例えば複写機やファクシミリなどに適用されている。これら図において符号１は画像読取装置の外殻を構成するハウジング（フレーム）である。ハウジング１は矩形の箱状体であり、開放されたその上面には、原稿を載置するプラテンガラス１０が取り付けられている。ハウジング１の底面には、図において左右方向（副走査方向）に延在する一対のレール１３が互いに平行に取り付けられている。レール１３には、キャリッジ３が長手方向に摺動自在に支持されている。キャリッジ３には、上方に突出する複数のボタン３０，３１が取り付けられている。ボタン３０，３１は摩擦係数の小さなプラスチック等の合成樹脂から構成され、その上端部は、プラテンガラス１０との摩擦抵抗を低減するためにほぼ球面状とされている。
【００１０】
キャリッジ３の上面には、光軸を上下方向へ向けたロッドレンズアレイ（セルフォックレンズ）３２が取り付けられ、ロッドレンズアレイ３２の下方には、ロッドレンズアレイ３２で結像させた原稿像を読み取るＣＣＤ（光電変換素子）３３が配置されている。また、キャリッジ３には、斜め上方へ向けて光を照射するランプ３４が取り付けられている。さらに、キャリッジ３の下面には、レール１３と摺接するスライダ３５が取り付けられている。スライダ３５とキャリッジ３のフレームとの間には図示せぬ圧縮バネが介在しており、これによって、キャリッジ３は上方に付勢され、ボタン３０，３１の上端面がプラテンガラス１０の下面に押圧されている。このように構成されたキャリッジ３は、以下に説明する駆動機構４によってレール１３上を走行させられる。
【００１１】
図１に示すように、ハウジング１内の４隅には上下方向に延びるプーリ軸４０が固定されている。これらプーリ軸４０のうち、奥側（図１で上側）の２つのプーリ軸４０には、図３および図４に示すように、第１従動プーリ４１ａと第２従動プーリ４２ａとが、この順で上下に同軸的に配され、回転自在に支持されている。つまり、これら第１従動プーリ４１ａと第２従動プーリ４２ａとは、プーリ軸４０を共有している。また、手前側（図１で下側）の２つのプーリ軸４０には、図２に示すように、第２従動プーリ４２ａのみが回転自在に支持されている。また、ハウジング１の奥側には、図１に示すように、ステッピングモータ等のモータ４３によって駆動する駆動プーリ４４が配設されている。
【００１２】
駆動プーリ４４には、第１ワイヤ４１ｂおよび第２ワイヤ４２ｂが、それぞれ複数回巻回されている。そして、第１ワイヤ４１ｂは２つの第１従動プーリ４１ａに掛け渡され、その両端部が、キャリッジ３の奥側の端面に係止されている。また、第２ワイヤ４２ｂは４つの第２従動プーリ４２ａに掛け渡され、その両端部が、キャリッジ３の手前側の端面に係止されている。
【００１３】
このような駆動機構４によれば、モータ４３によって駆動プーリ４４が駆動すると、第１ワイヤ４１ｂおよび第２ワイヤ４２ｂが作動してキャリッジ３の両端の係止部を一方向（例えば右方向）に推進させ、これによりキャリッジ３はレール１３に沿って同方向に走行し、モータ４３が逆回転すると、キャリッジ３は逆方向に走行する。
【００１４】
図１，図３および図４において符号５は、コントローラ（電気回路）である。コントローラ５は、モータ４３の回転を制御して、キャリッジ３の位置や速度をプログラムにしたがって移動させるとともに、読取画像データを画像処理部へ転送する等の制御および処理を行うもので、ハウジング１の底部の左側の端部に固定されている。このコントローラ５には、制御信号や画像データ信号等の授受を行う平らな帯状のフレキシブルなハーネス７の一端部が接続されており、このハーネス７の他端部は、キャリッジ３に接続されている。
【００１５】
図３および図４に示すように、ハーネス７は、一端部がコントローラ５の手前側の側部に接続され、その接続部より手前側に短く延ばされてから、９０°折り曲げられ、キャリッジ３の移動方向に沿って右方向に延在している。そして、キャリッジ３の下方を過ぎてから上方へ湾曲してループ７ａを形成してコントローラ５側にＵターンし、他端部がキャリッジ３に保持されてＣＣＤ３３に接続されている。ハーネス７は、キャリッジ３の移動に伴ってループ７ａの曲率半径が変化し、キャリッジ３の移動を拘束しない長さに設定されている。図３はキャリッジ３が原点位置にある状態を示しており、図４はキャリッジ３が最も左側に移動した状態を示している。
【００１６】
図４に示すように、キャリッジ３が最も左側にある時、ハーネス７のループ７ａの上部はプラテンガラス１０に接触するように湾曲し、キャリッジ３が原点位置から往復移動する最中においては、原点位置から左方へ移動するほどループ７ａは大きくなり、ある位置を越えると、ループ７ａの上部がプラテンガラス１０の下面に摺接する。ハーネス７がプラテンガラス１０に直接摺接すると、プラテンガラス１０に擦れ傷が付いたり汚れたりするので、本実施形態では、その摺接部分に、不織布等からなる保護部材８が巻かれている。つまり、実際にはハーネス７はプラテンガラス１０には摺接せず、保護部材８が摺接するようになっている。
【００１７】
２．実施形態の動作
次に、上記構成の画像読取装置の動作について説明する。
原稿をプラテンガラス１０の上面に載置して操作パネルのスタートボタンを押すと、モータ４３が回転し、キャリッジ３は図３に示す原点位置から左側へ向けて走行する。そして、図４に示す位置までキャリッジ３が来て読み取りが終わると、モータ４３が逆回転し、キャリッジ３は原点位置に戻る。
【００１８】
キャリッジ３が左方向へ走行している間、ランプ３４が点灯してロッドレンズアレイ３２に原稿の像が入射し、ロッドレンズアレイ３２を通過した光はＣＣＤ３３の受光部に結像する。そして、ＣＣＤ３３は、受けた光に対応する画像データをコントローラ５に出力し、コントローラ５は、入力された画像データを画像処理部に転送する。
【００１９】
上記の画像読み取り中、すなわちキャリッジ３が移動中においては、ハーネス７のループ７ａは直接プラテンガラス１０に摺接せず、保護部材８が摺接するので、プラテンガラス１０の損傷や汚れが防止される。また、これによって、ハーネス７のループ７ａがプラテンガラス１０に摺接する状態（実際には保護部材８が摺接する）でもかまわないので、ハーネス７のループ７ａがプラテンガラス１０に接触しないように、ハウジングの底部とプラテンガラス１０との間を高くする必要もなく、このため、装置のコンパクト化を図ることができる。
【００２０】
なお、保護部材８としては不織布を挙げたが、柔軟でプラテンガラス１０に擦過傷が付かず、しかも軽くてハーネス７やキャリッジ３の動きに負荷がかからないものが好適であり、例えばプラスチック等でもよい。
【００２１】
【発明の効果】
以上説明したように、本発明によれば、ハーネスのプラテンガラスに摺接する部分に保護部材を設けたので、ハーネスが擦過することによるプラテンガラスの汚れや傷の発生を確実に防止することが、簡素な構成で実現でき、装置のコンパクト化も図られるといった効果を奏する。
【図面の簡単な説明】
【図１】本発明の実施形態に係る画像読取装置の平面図である。
【図２】図１のＩＩ−ＩＩ線矢視断面図である。
【図３】図１のＩＩＩ−ＩＩＩ線矢視断面図である。
【図４】図３の状態からキャリッジが最も左へ位置した状態を示す断面図である。
【符号の説明】
１…ハウジング（フレーム）
３…キャリッジ
５…コントローラ（電気回路）
７…ハーネス
７ａ…ループ
８…保護部材
１０…プラテンガラス
３２…ロッドレンズアレイ
３３…ＣＣＤ（光電変換素子）
【図１】
2004333920.tif 000003
【図２】
2004333920.tif 000004
【図３】
2004333920.tif 000005
【図４】
2004333920.tif 000006